(57)【要約】【課題】撮影直後に画像表示を行うクイックレビューにおいて、撮影画像を適切なタイミングで適切な時間の間だけ表示する撮像装置を提供する。【解決手段】デジタルカメラ１００では、画像が撮影されると、撮影された画像がメモリ１３０に記憶され（Ｓ３０５）、撮影直後に予め定められた表示時間の間、メモリ１３０に記憶された画像が画像表示部１２４の表示面に表示され（Ｓ３０８）、表示時間が経過したときにデジタルカメラ１００の本体の姿勢が検知され（Ｓ３１３）、検知された本体の姿勢が判定され（Ｓ３１４）、表示面が上向きとなる姿勢であると判定された場合に、表示時間が延長される（Ｓ３１５）。【選択図】図３
2012019321.tif 000002
【特許請求の範囲】
【請求項１】
画像を撮影する撮像手段を備える撮像装置であって、
前記撮像手段により撮影された画像の記憶手段への記憶を指示する指示手段と、
表示面を有し、前記記憶手段に記憶された画像を前記表示面に表示する表示手段と、
当該撮像装置の本体の姿勢を検知する姿勢検知手段と、
予め定められた表示時間の間、前記記憶手段に記憶された画像を前記画像の撮影直後に前記表示面に表示するクイックレビューの際に、前記表示面への前記画像の表示を制御するクイックレビュー制御手段と、を備え、
前記クイックレビュー制御手段は、前記表示時間が経過したときに前記本体の姿勢が前記表示面が上向きとなる姿勢であると前記姿勢検知手段により検知された場合、前記表示時間の延長を行うことを特徴とする撮像装置。
【請求項２】
画像を撮影する撮像手段を備える撮像装置であって、
前記撮像手段により撮影された画像の記憶手段への記憶を指示する指示手段と、
前記指示手段により前記記憶手段に記憶された画像を表示する表示手段と、
当該撮像装置の本体の姿勢を検知する姿勢検知手段と、
予め定められた表示時間の間、前記記憶手段に記憶された画像を前記画像の撮影直後に前記表示手段に表示するクイックレビューの際の前記表示手段への前記画像の表示を制御するクイックレビュー制御手段と、を備え、
前記クイックレビュー制御手段は、前記撮像手段により撮影された画像が前記記憶手段へ記憶された際に前記姿勢検知手段により検知された前記本体の姿勢と前記表示時間が経過したときに前記姿勢検知手段により検知された前記本体の姿勢との間に差異がある場合、前記表示時間の延長を行うことを特徴とする撮像装置。
【請求項３】
前記撮像手段により撮影された画像が前記記憶手段へ記憶されてから予め定められた一定時間が経過したときに、前記本体の姿勢が前記表示面が上向きとなる姿勢であると前記姿勢検知手段により検知された場合、前記クイックレビュー制御手段は前記画像のクイックレビューを開始することを特徴とする請求項１又は２記載の撮像装置。
【請求項４】
前記撮像手段により撮影された画像が前記記憶手段へ記憶されてから予め定められた一定時間が経過したときに、前記画像が前記記憶手段へ記憶された際に前記姿勢検知手段により検知された前記本体の姿勢と前記一定時間が経過したときに前記姿勢検知手段により検知された前記本体の姿勢との間に差異がある場合、前記クイックレビュー制御手段は前記画像のクイックレビューを開始することを特徴とする請求項１又は２記載の撮像装置。
【請求項５】
画像を撮影する撮像手段を備える撮像装置で実行される制御方法であって、
前記撮像手段により撮影された画像を記憶手段に記憶する撮影ステップと、
前記撮影ステップによる撮影直後に、予め定められた表示時間の間、前記記憶手段に記憶された画像を表示手段の表示面に表示する表示ステップと、
前記表示時間が経過したときに当該撮像装置の本体の姿勢を検知する検知ステップと、
前記検知ステップにて検知された前記本体の姿勢を判定する判定ステップと、
前記判定ステップにて前記表示面が上向きとなる姿勢であると判定された場合に、前記表示時間の延長を行う延長ステップと、を有することを特徴とする撮像装置の制御方法。
【請求項６】
画像を撮影する撮像手段を備える撮像装置で実行される制御方法であって、
前記撮像手段により撮影された画像を記憶手段に記憶する撮影ステップと、
前記撮影ステップの際に当該撮像装置の本体の姿勢を検知する第１の検知ステップと、
前記撮影ステップによる撮影直後に、予め定められた表示時間の間、前記記憶手段に記憶された画像を表示手段に表示する表示ステップと、
前記表示時間が経過したときに前記本体の姿勢を検知する第２の検知ステップと、
前記第１の検知ステップと前記第２の検知ステップにてそれぞれ検知された前記本体の姿勢に差異が有るか否かを判定する判定ステップと、
前記判定ステップにて前記差異があると判定された場合に、前記表示時間の延長を行う延長ステップと、を有することを特徴とする撮像装置の制御方法。
【請求項７】
画像を撮影する撮像手段を備える撮像装置の制御方法をコンピュータに実行させるプログラムであって、
前記制御方法は、
前記撮像手段により撮影された画像を記憶手段に記憶する撮影ステップと、
前記撮影ステップによる撮影直後に、予め定められた表示時間の間、前記記憶手段に記憶された画像を表示手段の表示面に表示する表示ステップと、
前記表示時間が経過したときに当該撮像装置の本体の姿勢を検知する検知ステップと、
前記検知ステップにて検知された前記本体の姿勢を判定する判定ステップと、
前記判定ステップにて前記表示面が上向きとなる姿勢であると判定された場合に、前記表示時間の延長を行う延長ステップと、を有することを特徴とするプログラム。
【請求項８】
画像を撮影する撮像手段を備える撮像装置の制御方法をコンピュータに実行させるプログラムであって、
前記制御方法は、
前記撮像手段により撮影された画像を記憶手段に記憶する撮影ステップと、
前記撮影ステップの際に当該撮像装置の本体の姿勢を検知する第１の検知ステップと、
前記撮影ステップによる撮影直後に、予め定められた表示時間の間、前記記憶手段に記憶された画像を表示手段に表示する表示ステップと、
前記表示時間が経過したときに前記本体の姿勢を検知する第２の検知ステップと、
前記第１の検知ステップと前記第２の検知ステップにてそれぞれ検知された前記本体の姿勢に差異が有るか否かを判定する判定ステップと、
前記判定ステップにて前記差異があると判定された場合に、前記表示時間の延長を行う延長ステップと、を有することを特徴とするプログラム。
【請求項９】
請求項７記載のプログラムを格納したことを特徴とするコンピュータで読み取り可能な記憶媒体。
【請求項１０】
請求項８記載のプログラムを格納したことを特徴とするコンピュータで読み取り可能な記憶媒体。
【発明の詳細な説明】
【技術分野】
【０００１】
本発明は、撮像装置に関し、特にクイックレビュー時に画像を適切なタイミングで表示し、画像表示を延長させる撮像装置及びその制御方法、その制御方法をコンピュータに実行させるためのプログラム、そのプログラムを格納した記憶媒体に関する。
【背景技術】
【０００２】
近時、デジタルカメラのように、撮影レンズで被写体の光を集めてＣＣＤ等の撮像素子に結像させ、記憶媒体に画像データを保存する撮像装置が広く用いられている。このような撮像装置は、被写体を確認したり、記憶した画像を再生したり等するための画像表示部を有している。
【０００３】
画像表示部を通して被写体を確認するために、被写体をリアルタイムで画像表示部に表示するライブビュー撮影モードを搭載している撮像装置が知られている。光学ファインダを備えていない撮像装置でも、ライブビュー撮影モードを用いることで、画像表示部を通して構図を確認しながら撮影することができる。
【０００４】
また、撮影直後に撮影画像を確認するために、画像表示部に撮影画像を一定時間表示するクイックレビュー機能を備えた撮像装置が知られている。従来、クイックレビューの表示時間は、ユーザによって予め設定された時間とするか、又は、ユーザによってクイックレビューを終了するための操作が行われるまで継続するように設定可能なものが知られている（例えば、特許文献１参照）。
【０００５】
クイックレビュー機能に関しては、その他にも、クイックレビュー機能の実行時に、ズームレバーを作動させると、画像表示がそのまま保持される技術が提案されている（例えば、特許文献２参照）。セルフタイマやリモコンを用いて静止画撮影を行なった際、任意の操作キーを押すまでの間、画像表示をそのまま保持する技術も提案されている（例えば、特許文献３参照）。
【先行技術文献】
【特許文献】
【０００６】
【特許文献１】特開２００１−１８６３８６号公報
【特許文献２】特開２００５−２２３７６３号公報
【特許文献３】特開２００７−０１３４７２号公報
【発明の概要】
【発明が解決しようとする課題】
【０００７】
しかしながら、特許文献１に開示された技術のように、所定時間でクイックレビューを終了する構成の場合、ユーザが撮影画像を入念に確認したいにもかかわらず、その途中でクイックレビューが消えてしまう場合がある。一方、クイックレビューの表示時間を極端に長く設定してしまうと、確認しなくてもよい画像も表示され続けることになるため、電力消費が増大するという問題がある。
【０００８】
特許文献２に開示された技術の場合、ユーザはクイックレビュー中にわざわざズームレバーを操作する必要があり、操作が煩わしいという問題がある。また、特許文献３に開示された技術の場合、クイックレビュー中に任意の操作キーを押す必要があり、それまでの間は撮影画像が表示され続けるため、電力消費が増大するという問題がある。
【０００９】
本発明は、撮影直後に画像表示を行うクイックレビューにおいて、撮影画像を適切なタイミングで適切な時間の間だけ表示する撮像装置を提供することを目的とする。また、本発明は、この撮像装置の制御方法、その制御方法をコンピュータに実行させるためのプログラム、そのプログラムを格納した記憶媒体を提供することを目的とする。
【課題を解決するための手段】
【００１０】
本発明の第１の観点に係る撮像装置は、画像を撮影する撮像手段を備える撮像装置であって、前記撮像手段により撮影された画像の記憶手段への記憶を指示する指示手段と、表示面を有し、前記記憶手段に記憶された画像を前記表示面に表示する表示手段と、当該撮像装置の本体の姿勢を検知する姿勢検知手段と、予め定められた表示時間の間、前記記憶手段に記憶された画像を前記画像の撮影直後に前記表示面に表示するクイックレビューの際に、前記表示面への前記画像の表示を制御するクイックレビュー制御手段と、を備え、前記クイックレビュー制御手段は、前記表示時間が経過したときに前記本体の姿勢が前記表示面が上向きとなる姿勢であると前記姿勢検知手段により検知された場合、前記表示時間の延長を行うことを特徴とする。
【００１１】
本発明の第２の観点に係る撮像装置は、画像を撮影する撮像手段を備える撮像装置であって、前記撮像手段により撮影された画像の記憶手段への記憶を指示する指示手段と、前記指示手段により前記記憶手段に記憶された画像を表示する表示手段と、当該撮像装置の本体の姿勢を検知する姿勢検知手段と、予め定められた表示時間の間、前記記憶手段に記憶された画像を前記画像の撮影直後に前記表示手段に表示するクイックレビューの際の前記表示手段への前記画像の表示を制御するクイックレビュー制御手段と、を備え、前記クイックレビュー制御手段は、前記撮像手段により撮影された画像が前記記憶手段へ記憶された際に前記姿勢検知手段により検知された前記本体の姿勢と前記表示時間が経過したときに前記姿勢検知手段により検知された前記本体の姿勢との間に差異がある場合、前記表示時間の延長を行うことを特徴とする。
【発明の効果】
【００１２】
本発明によれば、撮影直後に画像表示を行うクイックレビューにおいて、撮影画像を適切なタイミングで適切な時間の間だけ表示することができる。
【図面の簡単な説明】
【００１３】
【図１】本発明の実施形態に係るデジタルカメラの構成を示すブロック図である。
【図２】本発明の実施形態に係るデジタルカメラの背面図である。
【図３】本発明の実施形態に係るデジタルカメラの第１実施形態に係る動作を示すフローチャートである。
【図４】本発明の実施形態に係るデジタルカメラの第２実施形態に係る動作を示すフローチャートである。
【図５】図３及び図４に示したフローチャートに従うデジタルカメラの本体の動作と画像表示部の動作との関係を模式的に示す側面図である。
【図６】本発明の実施形態に係るデジタルカメラの第３実施形態に係る動作を示すフローチャートである。
【図７】本発明の実施形態に係るデジタルカメラの第４実施形態に係る動作を示すフローチャートである。
【図８】図６及び図７に示したフローチャートに従うデジタルカメラの本体の動作と画像表示部の動作との関係を模式的に示す側面図である。
【発明を実施するための形態】
【００１４】
以下、本発明の実施の形態について、添付図面を参照して詳細に説明する。図１は、本発明の実施形態に係るデジタルカメラの構成を示すブロック図である。
【００１５】
デジタルカメラ１００では、被写体からの光は撮影レンズ１１１によって撮像部１１６に結像され、撮像部１１６において電気信号へと変換される。撮像部１１６は、具体的には、ＣＣＤセンサやＣＭＯＳセンサ等の光電変換素子である。撮像部１１６の手前には、後述する露光制御手段１３４からの指示により動作する機械式シャッタ１１５が配置されている。機械式シャッタ１１５は、被写体光束の光路から待避して露光を開始させる先幕（不図示）と、被写体光束の光路から待避しており、先幕の走行開始後、所定のタイミングで被写体光束を遮光する後幕（不図示）とを有するフォーカルプレーンシャッタである。
【００１６】
撮像部１１６から出力される電気信号はアナログ信号であるため、このアナログ信号はＡ／Ｄ変換器１２０によってデジタル信号に変換される。Ａ／Ｄ変換器１２０から出力されるデジタル信号と後述のメモリ制御回路１２３から出力されるデータに対して、画像処理回路１２２によって、画素補間処理や色変換処理等の所定の演算処理が行われる。システム制御回路１４０は、画像処理回路１２２により得られた演算結果に基づいて、ＡＦ（オートフォーカス）処理、ＡＥ（自動露出）処理、ＡＷＢ（オートホワイトバランス）処理を行う。
【００１７】
メモリ制御回路１２３は、Ａ／Ｄ変換器１２０、画像処理回路１２２、画像表示メモリ１３２、Ｄ／Ａ変換器１２１、メモリ１３０及び計時回路１３１を制御する。Ａ／Ｄ変換器１２０から出力される画像データは、画像処理回路１２２とメモリ制御回路１２３とを介して、又は直接にメモリ制御回路１２３を介して、画像表示メモリ１３２やメモリ１３０に書き込まれる。
【００１８】
画像表示部１２４は、例えばＴＦＴ−ＬＣＤ等であり、画像表示メモリ１３２に書き込まれた表示用の画像データが、Ｄ／Ａ変換器１２１を通して画像表示部１２４に表示される。メモリ１３０は、撮影された静止画像や動画像のデータを格納し、所定枚数の静止画像データや所定時間の動画像データを格納するのに十分な記憶容量を備えている。これにより、デジタルカメラ１００は、複数枚の静止画像を連続して撮影する連射撮影やパノラマ撮影の際にも、メモリ１３０に対して大量の画像データの書き込みを高速で行うことができる。
【００１９】
計時回路１３１は、クイックレビュー表示時間、クイックレビュー表示延長時間等の予め設定された時間の計時を行う。露光制御手段１３４は、システム制御回路１４０の指示により、機械式シャッタ１１５の先幕と後幕の走行の制御、先幕と後幕を元の位置に戻すシャッタチャージ及び絞り（不図示）の制御を行う。測距制御手段１３５は、撮影レンズ１１１のフォーカシングを制御する。露光制御手段１３４と測距制御手段１３５はＴＴＬ方式を用いて制御されており、システム制御回路１４０が、画像処理回路１２２による演算結果に基づいて、露光制御手段１３４と測距制御手段１３５に対して制御を行う。
【００２０】
システム制御回路１４０は、デジタルカメラ１００全体を制御する。システム制御回路１４０は、ＣＰＵを備えており、不揮発性メモリ１４１に記憶されたプログラムを実行することで、デジタルカメラ１００における各種の処理を実現させる。表示部１４２は、システム制御回路１４０によるプログラムの実行に応じて、文字や画像、音声等を用いて、デジタルカメラ１００の動作状態やメッセージ等を表示する。なお、表示部１４２は、デジタルカメラ１００の操作部近傍の視認し易い位置に単数或いは複数個所設置され、例えばＬＣＤやＬＥＤ、発音素子等の組み合わせにより構成されており、その一部の機能は光学ファインダ（後述する図２参照）内に設置されている。
【００２１】
物体検知手段１４３は、例えば赤外光を投光し、その反射光から物体の有無を検知する。物体検知手段１４３を光学ファインダの下部に配置すると、撮影者が光学ファインダに顔を近づけているか否かを検知することができ、撮影後であっても撮影者が顔を光学ファインダに近づけている限りは、画像表示部１２４にクイックレビューは表示されない。よって、撮影者が引き続いて撮影しようとしている場合、画像表示部１２４の明るさによって、撮影行為が妨げられないという効果が得られる。
【００２２】
姿勢検知手段１４４は、デジタルカメラ１００の姿勢を検知し、例えば角速度センサや重力センサ、加速度センサ等の公知のセンサを用いることができる。三脚モード設定手段１４６は、三脚使用の有無を判断し、三脚使用の有無はデジタルカメラ１００の三脚部（不図示）に検知スイッチや検知センサを用いることによって検知することができる。なお、画像表示部１２４に設定画面を表示させて、撮影者が三脚使用の有無の設定を行うように構成されていてもよい。
【００２３】
クイックレビュー制御手段１４５は、クイックレビュー実行時に画像表示部１２４に撮影画像を適切なタイミングで表示する制御を行い、予め撮影者によって設定される等して定められたクイックレビュー表示時間を延長させる制御を行う。このようなクイックレビュー制御手段１４５による制御は、物体検知手段１４３及び姿勢検知手段１４４による検知結果と、三脚モード設定手段１４６による設定情報とに基づいて行われる。なお、本実施形態では、クイックレビュー制御手段１４５を独立したブロックとしたが、システム制御回路１４０がクイックレビュー制御手段１４５の機能を兼ねるものとしてもよい。
【００２４】
シャッタボタン１５０は、シャッタスイッチＳＷ１，ＳＷ２の２段スイッチで構成されている。撮影準備動作指示手段１５１は、ＡＦ（オートフォーカス）処理、ＡＥ（自動露出）処理、ＡＷＢ（オートホワイトバランス）処理等の撮影準備動作を指示する。本実施形態では、撮影準備動作指示手段１５１は、シャッタボタン１５０の第１ストロークでＯＮとなるシャッタスイッチＳＷ１で構成される。
【００２５】
撮影動作指示手段１５２は、撮影動作開始（すなわち、撮影処理）を指示する。すなわち、撮影動作指示手段１５２はまず、撮像部１１６から読み出した信号をＡ／Ｄ変換器１２０、メモリ制御回路１２３を介してメモリ１３０に画像データを書き込む露光処理の動作開始を指示する。撮影動作指示手段１５２はまた、画像処理回路１２２やメモリ制御回路１２３での演算を用いた現像処理を指示する。撮影動作指示手段１５２は更に、メモリ１３０から画像データを読み出し、圧縮伸長回路１３３で圧縮を行い、つまり、撮影した画像を記憶するために記憶媒体１８０に画像データを書き込むという一連の処理を指示する。本実施形態では、撮影動作指示手段１５２は、シャッタボタン１５０の第２ストローク（第２ストローク＞第１ストローク）でＯＮとなるシャッタスイッチＳＷ２で構成される。
【００２６】
電源ボタン１６４の押下により、デジタルカメラ１００の駆動のＯＮ／ＯＦＦが切り替えられる。電源制御手段１６０は、電池等の電源手段１６３の装着の有無、電源手段１６３の種類、電源手段１６３が電池である場合の電池残量の検知等を行い、その検知結果とシステム制御回路１４０の指示に基づいて、必要な電圧を必要な期間、必要な部位に供給する。電源制御手段１６０と電源手段とはコネクタ１６１，１６２を介して電気的に接続される。電源手段１６３は、アルカリ電池やリチウム電池等の一次電池、ＮｉＣｄ電池やＮｉＭＨ電池、Ｌｉ電池等の二次電池、ＡＣアダプター等である。
【００２７】
インタフェース１７０は、記憶媒体１８０とシステム制御回路１４０との情報のやり取りを仲介する。コネクタ１７１は、インタフェース１７０と記憶媒体１８０との接続を行う。記憶媒体１８０は、具体的には、メモリカードやハードディスク等である。記憶媒体１８０は、半導体メモリや磁気ディスク等で構成される記憶部１７５と、記憶部１７５とデジタルカメラ１００の本体との情報のやり取りを仲介するインタフェース１７２と、デジタルカメラ１００の本体に対する接続を行うコネクタ１７３とを備えている。記憶媒体着脱検知手段７４はコネクタ１７１に記憶媒体１８０が装着されているか否かを検知する。
【００２８】
なお、本実施形態に係るデジタルカメラ１００は、記憶媒体１８０を取り付けるための１系統のインタフェース１７０及びコネクタ１７１を備えているとした。しかし、これに限定されず、記憶媒体１８０を取り付けるための複数系統のインタフェース及びコネクタを備える構成としてもよい。また、その場合、異なる規格のインタフェース及びコネクタを備える構成としても構わない。
【００２９】
インタフェース１７０及びコネクタ１７１としては、ＰＣＭＣＩＡカードやＣＦカード等の規格に準拠したものを用いて構成することがして構わない。記憶媒体１８０がＰＣＭＣＩＡ規格のカードやＣＦ（コンパクトフラッシュ(登録商標)）カード等の場合、性能が記されている情報記憶回路を内蔵していることがある。なお、コネクタ１７１に各種通信カードを接続することにより、他機器との間で画像データや画像データに付属した管理情報を転送し合う構成とすることができる。
【００３０】
図１に示されるライブビューボタン１５３、画像再生ボタン１５４及び選択決定ボタン１５５については、次に図２を参照して説明する。
【００３１】
図２は、デジタルカメラ１００の背面図である。図２に示されるように、デジタルカメラ１００において、Ｙ軸方向を光軸（撮像面に垂直な方向）と平行な方向とする。Ｘ軸方向とＺ軸方向とは直交しており、共に画像表示部１２４の表示面に平行であり、共にＹ軸方向とも直交する。
【００３２】
シャッタボタン１５０を上にしてデジタルカメラ１００を構えたときのデジタルカメラ１００の姿勢を正位置姿勢とし、このときにデジタルカメラ１００において重力方向と平行な方向をＺ軸方向とする。換言すれば、Ｚ軸方向は、デジタルカメラ１００を正位置姿勢で構えた場合の縦方向（画像表示部１２４の表示面が横長のアスペクト比である場合の表示面の短辺方向）である。
【００３３】
デジタルカメラ１００を正位置姿勢からＹ軸回りに９０度回転（右回転と左回転を問わない）させて構えたときのデジタルカメラ１００の姿勢を縦位置姿勢とし、このときにデジタルカメラ１００において重力方向と平行な方向をＸ軸方向とする。換言すれば、Ｘ軸方向は、デジタルカメラ１００を正位置姿勢で構えた場合の横方向（画像表示部１２４の表示面が横長のアスペクト比である場合は表示面の長手方向）である。姿勢検知手段１４４は、これらＸ軸方向、Ｙ軸方向及びＺ軸方向のそれぞれについて、重力方向に対してどれだけ傾いているかを検知する。
【００３４】
デジタルカメラ１００の背面に設けられているライブビューボタン１５３は、ライブビュー撮影モードの開始を指示するための操作手段である。ライブビューボタン１５３の押下によって、通常撮影モードとライブビュー撮影モードとを切り替えることができるようになっている。画像再生ボタン１５４は、画像表示メモリ１３２に記憶された画像データを読み出して、画像表示部１２４に表示させるための操作手段である。選択決定ボタン１５５は、画像表示部１２４の表示面に表示されるメニュー画面において、選択や決定を行うための操作手段であり、ここでは、十字形状の４方向ボタンが用いられている。選択決定ボタン１５５は、これに限定されず、例えば、８方向の移動ボタンやタッチパネル等の他の機構を用いても構わない。
【００３５】
《デジタルカメラ１００の撮影時動作の第１実施形態》
図３は、デジタルカメラ１００の撮影時の第１実施形態に係る動作を示すフローチャートである。デジタルカメラ１００の本体の電源がＯＦＦの状態で電源ボタン１６４が押されると（スタート）、システム制御回路１４０を介して電源がＯＮ状態となり、通常撮影モードが設定される（ステップＳ３０１）。なお、ライブビューボタン１５３を押すことによって、ライブビュー撮影モードに切り替えることができる。第１実施形態では、撮影モードは、通常撮影モードとライブビュー撮影モードのどちらであってもよい。
【００３６】
続いて、シャッタスイッチＳＷ１が押下されたか否かが判定される（ステップＳ３０２）。シャッタスイッチＳＷ１が押下されていない場合（Ｓ３０２で“ＮＯ”）、シャッタスイッチＳＷ１が押下されるのを待つ状態に維持される。シャッタスイッチＳＷ１が押下された場合（Ｓ３０２で“ＹＥＳ”）、システム制御回路１４０により、オートフォーカスが駆動し、ＡＥ（自動露出）処理、ＡＷＢ（オートホワイトバランス）処理等の撮影準備動作の開始が指示される（ステップＳ３０３）。
【００３７】
ステップＳ３０３の後、シャッタスイッチＳＷ２が押下されたか否かが判定される（ステップＳ３０４）。シャッタスイッチＳＷ２が押下された場合（Ｓ３０４で“ＹＥＳ”）、処理はステップＳ３０５に進められる。一方、シャッタスイッチＳＷ２が押下されていない場合（Ｓ３０４で“ＮＯ”）は、シャッタスイッチＳＷ１を押下した状態が保持されているか否かが判定される（ステップＳ３０６）。シャッタスイッチＳＷ１が保持されている場合（Ｓ３０６で“ＹＥＳ”）、処理はステップＳ３０４に戻され、シャッタスイッチＳＷ１が保持されていない場合（Ｓ３０６で“ＮＯ”）、処理はステップＳ３０２へ戻される。
【００３８】
ステップＳ３０５では、撮影の動作開始が指示され、撮影が行われる。具体的には、システム制御回路１４０により、撮像部１１６から読み出された信号が、Ａ／Ｄ変換器１２０とメモリ制御回路１２３を介して、メモリ１３０に画像データを書き込む露光処理の動作開始が指示される。システム制御回路１４０はまた、画像処理回路１２２やメモリ制御回路１２３での演算を用いた現像処理、メモリ１３０から読み出した画像データの圧縮伸長回路１３３での圧縮、記憶媒体１８０への画像データの書き込みという一連の処理の動作開始を指示する。
【００３９】
その後、物体検知手段１４３によって物体（すなわち、撮影者）が検知されているか否かが検知される（ステップＳ３０７）。撮影者が検知されている場合（Ｓ３０７で“ＹＥＳ”）、画像表示部１２４が消灯され（ステップＳ３０９）、その後、処理はステップＳ３０７へ戻される。撮影者が検知されていない場合（Ｓ３０７で“ＮＯ”）、撮影した画像データが画像表示部１２４にクイックレビューとして表示される（ステップＳ３０８）。
【００４０】
画像表示部１２４にクイックレビューが表示されることで、撮影者は構図やピントずれがないか否かを確認することができる。画像表示部１２４にクイックレビューを表示し続ける必要はないため、クイックレビューが表示されると、計時回路１３１により、予め設定されたクイックレビュー表示時間の計時が開始される。
【００４１】
計時回路１３１による計時開始と共に、シャッタスイッチＳＷ１が押下されたか否かが判定される（ステップＳ３１０）。シャッタスイッチＳＷ１が押下された場合（Ｓ３１０で“ＹＥＳ”）、撮影者が再撮影を行うものと推測されるため、クイックレビューを終了し（ステップＳ３１２）、処理はステップＳ３０３に戻される。シャッタスイッチＳＷ１が押下されていない場合（Ｓ３１０で“ＮＯ”）、ステップＳ３０８において予め設定されたクイックレビュー表示時間の計時が開始されているので、そのクイックレビュー表示時間が経過した否かが判定される（ステップＳ３１１）。
【００４２】
クイックレビュー表示時間が経過していない場合（Ｓ３１１で“ＮＯ”）、処理はステップＳ３１０に戻される。クイックレビュー表示時間が経過した場合（Ｓ３１１で“ＹＥＳ”）、デジタルカメラ１００の本体の姿勢に関する情報が姿勢検知手段１４４により取得される（ステップＳ３１３）。そして、デジタルカメラ１００の姿勢が予め設定された姿勢か否かが判定される（ステップＳ３１４）。
【００４３】
第１実施形態では、ステップＳ３１４にて判定される「予め設定された姿勢」とは、「画像表示部１２４の表示面が上を向いている姿勢」である。例えば、Ｙ軸方向と重力方向とのなす角θを、撮影レンズ１１１が真下、且つ、画像表示部１２４の表示面が真上の状態では０度、撮影レンズ１１１が真上、且つ、画像表示部１２４の表示面が真下の状態では１８０度とする。Ｙ軸方向と重力方向とのなす角θが、例えば、−７０度≦θ≦７０度のときに、「画像表示部１２４の表示面が上を向いている姿勢」と判断することができる。この判断基準は、撮影者がデジタルカメラ１００を正位置姿勢で保持している場合と縦位置姿勢で保持している場合のいずれの場合にも用いることができる。
【００４４】
撮影者がデジタルカメラ１００を正位置姿勢で保持している場合、画像表示部１２４の表示面を上に向ける動作は、撮影レンズ１１１が下を向くように、デジタルカメラ１００をＸ軸回りに回転させる動作となる。正位置姿勢においては、Ｚ軸方向と重力方向とのなす角ηは０度である。よって、撮影レンズ１１１が下を向くようにデジタルカメラ１００を回転させ、Ｚ軸方向と重力方向とのなす角ηが２０≦η≦１６０度（η＝９０度から±７０度の範囲）の状態を、「画像表示部１２４の表示面が上を向いている姿勢」と判断することができる。
【００４５】
撮影者がデジタルカメラ１００を縦位置姿勢で保持している場合、画像表示部１２４の表示面を上に向ける動作は、撮影レンズ１１１が下を向くように、デジタルカメラ１００をＺ軸回りに回転させる動作となる。縦位置姿勢においては、Ｘ軸方向と重力方向とのなす角ζは０度である。よって、撮影レンズ１１１が下を向くようにデジタルカメラ１００を回転させ、Ｘ軸方向と重力方向とのなす角ζが２０≦ζ≦１６０度（ζ＝９０度から±７０度の範囲）の状態を、「画像表示部１２４の表示面が上を向いている姿勢」と判断することができる。
【００４６】
上述の通りにステップＳ３１４で行われる判定を、以下の説明において「上向き判定」と称し、「画像表示部１２４の表示面が上を向いている姿勢」を「表示面上向き姿勢」と称する。
【００４７】
表示面上向き姿勢ではない場合（Ｓ３１４で“ＮＯ”）、クイックレビューは終了され（ステップＳ３１８）、その後、処理はステップＳ３０２へ戻される。表示面上向き姿勢の場合（Ｓ３１４で“ＹＥＳ”）、クイックレビュー表示時間の延長が行われる（ステップＳ３１５）。クイックレビューの表示延長時間の設定方法としては、設定されているクイックレビュー表示時間のＮ倍（Ｎ＝２，３，４，・）とする方法や、予め用意された延長可能時間を撮影者が選択し、設定する方法等が挙げられる。ステップＳ３１５においてクイックレビューの表示時間が延長されると同時に、クイックレビューの表示延長時間の計時が開始される。
【００４８】
ステップＳ３１５によりクイックレビューの表示時間が延長された後、シャッタスイッチＳＷ１が押下されたか否かが判定される（ステップＳ３１６）。シャッタスイッチＳＷ１が押下された場合（Ｓ３１６で“ＹＥＳ”）、処理はステップＳ３１２へ戻されてクイックレビューの終了となり、その後、処理はステップＳ３０３に戻される。シャッタスイッチＳＷ１が押下されていない場合（Ｓ３１６で“ＮＯ”）、クイックレビュー表示延長時間が経過したか否かが判定される（ステップＳ３１７）。
【００４９】
クイックレビュー表示延長時間が経過していない場合（Ｓ３１７で“ＮＯ”）、処理はステップＳ３１６に戻される。クイックレビュー表示延長時間が経過した場合（Ｓ３１７で“ＹＥＳ”）、クイックレビューは終了され（ステップＳ３１８）、その後、処理はステップＳ３０２に戻される。
【００５０】
例えば、デジタルカメラ１００がライブビュー撮影モードに設定されている場合には、ステップＳ３１８でクイックレビューが終了すると、撮影のためのライブビューが再開されることになる。一方、通常撮影モードの場合には、ステップＳ３１８でクイックレビューが終了すると、画像表示部１２４は消灯されるか又は画像表示部１２４に現在の撮影設定に関する表示が行われる。
【００５１】
上述したステップＳ３１５では、クイックレビュー表示時間を一定時間延長したが、延長の方法として、クイックレビューがホールドされるようにしてもよい。この場合、クイックレビューを終了させるためのタイマーはカウントされず、クイックレビューを終了させるための操作があるか、オートパワーオフやオートディスプレイオフ等の省電機能が発動するまでの間、クイックレビューが保持される。クイックレビューを終了させるための操作としては、シャッタスイッチＳＷ１の押下、デジタルカメラ１００の電源オフ操作、撮影モードの変更操作等が挙げられる。
【００５２】
第１実施形態では、デジタルカメラ１００が、画像表示部１２４の表示面が上を向いている表示面上向き姿勢となっている場合に、クイックレビューが延長される構成とした。これは、撮影者が撮影直後にクイックレビューを確認する場合には、撮影時に正位置姿勢又は縦位置姿勢としていたデジタルカメラ１００の姿勢を、画像表示部１２４の表示面が上向きとなるように変更することが多いことを考慮したものである。すなわち、デジタルカメラ１００が表示面上向き姿勢にある間は、撮影者による撮影画像の確認中であるとみなして、クイックレビューを延長する。これにより、撮影者は、クイックレビューの表示時間を意識することなく、必要に応じて適切な時間だけ、クイックレビューを確認することができる。
【００５３】
なお、クイックレビューの確認時にデジタルカメラ１００を表示面上向き姿勢にすることが多いのは、次のような理由による。すなわち、特に一眼レフカメラ等のレンズ交換型デジタルカメラではレンズ部が重いために、レンズ部を下向きにすることでデジタルカメラを安定して保持することができるために、クイックレビューの確認が容易となるからである。よって、第１実施形態は、特にレンズ交換型のデジタルカメラ等の撮像装置に適用されることで、上記効果をより効果的に得ることができる。
【００５４】
ステップＳ３１４では、表示面上向き姿勢か否かを判定したが、これに代えて、撮影レンズ１１１を含むレンズ部が下方向（重力方向）を向いたか否かで判定してもよい。この場合の角度設定は、表示面上向き姿勢の場合の角度設定に準ずる。
【００５５】
また、クイックレビューの表示時間の延長中に、デジタルカメラ１００の姿勢が「表示面上向き姿勢」でなくなった場合に、撮影者によるクイックレビューの確認が済んだとみなしてクイックレビューを終了する構成としてもよい。具体的には、ステップＳ３１７で設定時間が経過してないと判定しても、デジタルカメラ１００の姿勢が「表示面上向き姿勢」でないと判定すると、ステップＳ３１８に進む構成としてもよい。
【００５６】
《デジタルカメラ１００の撮影時動作の第２実施形態》
図４は、デジタルカメラ１００の撮影時の第２実施形態に係る動作を示すフローチャートである。図４のフローチャートについて以下に説明するが、図４のフローチャートに示される処理のうち、図３のフローチャートを参照して説明した処理と同じ処理については、その旨を記すこととして詳細な説明を省略する。
【００５７】
第２実施形態に係る動作におけるステップＳ４０１〜Ｓ４０６の処理は、第１実施形態に係る動作におけるステップＳ３０１〜Ｓ３０６の処理と同じである。第２実施形態に係る動作では、ステップＳ４０５の撮影処理の際に（つまり、撮影動作指示手段１５２により撮影処理が指示された際に）、デジタルカメラ１００の本体の姿勢が検知される（ステップＳ４０７）。このステップＳ４０７を、以下、適宜、「第１の検知ステップ」という。第１の検知ステップで検知された姿勢に関するデータは、メモリ１３０に記憶され、後述するステップＳ４１５においてメモリ１３０から読み出されて、ステップＳ４１５の処理で用いられる。
【００５８】
第２実施形態に係る動作におけるステップＳ４０８〜Ｓ４１４の処理は、第１実施形態に係る動作におけるステップＳ３０７〜Ｓ３１３の処理と同じである。ステップＳ４０７にて、一度、デジタルカメラ１００の本体の姿勢を検知しているので、ステップＳ４１４でのデジタルカメラ１００の本体の姿勢の検知は、第２の検知ステップとなる。
【００５９】
第１実施形態では、ステップＳ３１３の後に、デジタルカメラ１００が表示面上向き姿勢か否かを判定した。これに対して第２実施形態では、ステップＳ４１４の後のステップＳ４１５において、ステップＳ４０７（第１の検知ステップ）とステップＳ４１４（第２の検知ステップ）でそれぞれ取得したデジタルカメラ１００の姿勢との間の差異の有無が判定される。
【００６０】
デジタルカメラ１００の姿勢に差異がある場合（Ｓ４１５で“ＹＥＳ”）、処理はステップＳ４１６に進められ、デジタルカメラ１００の姿勢に差異がない場合（Ｓ４１５で“ＮＯ”）、処理はステップＳ４１９に進められる。第２実施形態に係る動作におけるステップＳ４１６〜Ｓ４１９の処理は、第１実施形態に係る動作におけるステップＳ３１５〜Ｓ３１８の処理と同じである。
【００６１】
第２実施形態では、デジタルカメラ１００の姿勢について、撮影時とクイックレビューの確認時とで差異が有るか否かによって、クイックレビューの確認中か否かが判定され、クイックレビューを自動的に延長するか否かが決定される。よって、撮影者が撮影時にデジタルカメラ１００を正位置姿勢（又は縦位置姿勢）で使用していなかった場合でも、クイックレビューの確認中であれば、クイックレビューが自動的に延長される。正位置姿勢（又は縦位置姿勢）以外の姿勢としては、例えば、撮影者が寝そべってデジタルカメラ１００を使用していたときの姿勢等が挙げられる。
【００６２】
なお、クイックレビューの表示時間の延長中に、デジタルカメラ１００の姿勢がＳ４０７で検知した姿勢と同じ姿勢に戻った場合に、撮影者によるクイックレビューの確認が済んだとみなしてクイックレビューを終了する構成としてもよい。具体的には、ステップＳ４１８で設定時間が経過してないと判定しても、その際のデジタルカメラ１００の姿勢とステップＳ４０７で検知した姿勢との差異が閾値以下であると判定すると、ステップＳ４１９に進む構成としてもよい。
【００６３】
《第１実施形態及び第２実施形態におけるデジタルカメラ１００の本体の動作と画像表示部１２４の動作との関係の模式的図示》
図５は、図３及び図４に示したフローチャートに従うデジタルカメラ１００の本体の動作と画像表示部１２４の動作との関係を模式的に示す側面図である。通常撮影モード時、撮影者は光学ファインダ２１０を覗いて、構図を確認しながら撮影する。撮影後の光学ファインダ２１０の下部に設けられた物体検知手段１４３により、撮影者が顔を光学ファインダ２１０に近づけている限り、画像表示部１２４にはクイックレビューは行われない（図５（ａ））。
【００６４】
その後、物体検知手段１４３が撮影者の顔を検知しなくなると、画像表示部１２４に撮影画像のクイックレビューが行われ（図５（ｂ））、同時に計時回路１３１により、予め設定されたクイックレビュー表示時間の計時が開始される。クイックレビュー表示時間が例えば「２秒」に設定されていた場合、第１実施形態では、２秒後にデジタルカメラ１００が表示面上向き姿勢か否かが判定され、表示面上向き姿勢であればクイックレビュー表示時間が延長される（図５（ｃ））。一方、第２実施形態では、撮影時のデジタルカメラ１００の姿勢とクイックレビューの開始から２秒後のデジタルカメラ１００の姿勢との差異の有無が判定され、差異があればクイックレビュー表示時間が延長される（図５（ｃ））。クイックレビュー表示時間の延長により、撮影者は撮影毎に十分に画像を確認することができる。
【００６５】
クイックレビューは、撮影された画像を確認するために用いられるので、表示し続ける必要はない。よって、クイックレビュー表示延長時間が経過すると、クイックレビューは終了となる（図５（ｄ））。なお、クイックレビュー表示延長時間の経過中にシャッタスイッチＳＷ１が押下されると、撮影準備動作に移行するために、クイックレビューは終了される。
【００６６】
《デジタルカメラ１００の撮影時動作の第３実施形態》
第１実施形態及び第２実施形態では、クイックレビュー表示時間を延長するか否かをデジタルカメラ１００の姿勢に基づいて判定したが、第３実施形態では、クイックレビューを開始するか否かをデジタルカメラ１００の姿勢に基づいて判定する。図６は、デジタルカメラ１００の撮影時の第３実施形態に係る動作を示すフローチャートである。
【００６７】
ステップＳ６０１の撮影は、図３のフローチャートに示されるステップＳ３０５の撮影と同じであり、ここでは、ステップＳ６０１の撮影は、ステップＳ３０１〜Ｓ３０６の処理を含むものとする。よって、これらの処理の詳細については既に詳細に説明済みであるので、ここでの説明を省略する。
【００６８】
次に、三脚モード設定手段１４６により、三脚使用の有無（つまり、三脚モードが設定されているか否か）が判定される（ステップＳ６０２）。三脚使用有りの場合（Ｓ６０２で“ＹＥＳ”）、ステップＳ６０６の処理へ進み、三脚使用無しの場合（Ｓ６０２で“ＮＯ”）、姿勢検知手段１４４により、デジタルカメラ１００の姿勢情報が取得される（ステップＳ６０３）。
【００６９】
ステップＳ６０３の後、ステップＳ６０１の撮影の終了（つまり、撮影された画像がメモリ１３０に記憶された時点）から一定時間が経過したかが判定される（ステップＳ６０４）。ステップＳ６０４で計時する一定時間は、例えば、デジタルカメラ１００にデフォルト設定されていてもよいし、撮影者により予め設定されていてもよい。一定時間が経過した場合（Ｓ６０４で“ＹＥＳ”）、処理はステップＳ６０９に進められ、ステップＳ６０９ではデジタルカメラ１００は撮影待機状態にて維持される。一定時間が経過していない場合（Ｓ６０４で“ＮＯ”）、ステップＳ７０３で取得されたデジタルカメラ１００の姿勢情報に基づいて、デジタルカメラ１００が表示面上向き姿勢であるか否かが判定される（ステップＳ６０５）。
【００７０】
ステップＳ６０５の処理は、図３を参照して説明したステップＳ３１４の処理と同じであり、表示面上向き姿勢の場合（Ｓ６０５で“ＹＥＳ”）、クイックレビューが画像表示部１２４に表示される（ステップＳ６０６）。一方、表示面上向き姿勢でない場合（Ｓ６０５で“ＮＯ”）、処理はステップＳ６０３に戻される。
【００７１】
ステップＳ６０６の処理は、図３を参照して説明したステップＳ３０８の処理と同じであり、ステップＳ６０６によりクイックレビューが表示された際に、計時回路１３１により、予め設定されたクイックレビュー表示時間の計時が開始される。ステップＳ６０７以降の処理は、図３を参照して説明したステップＳ３０９以降の処理と同じであるので、ここでの詳細な説明を省略する。
【００７２】
このように第３実施形態によれば、デジタルカメラ１００がクイックレビューを確認するための姿勢となるまではクイックレビューを行わない。これにより、連続撮影を行いたい場合等に、余計なクイックレビューが行われることを防止されるので、撮影者は煩わしさを感じることなく連続した撮影を行うことができ、また、電池の無駄な消費を防ぐこともできる。
【００７３】
なお、ステップＳ６０４で一定時間が経過したと判定する前にシャッタスイッチＳＷ１の操作があった場合は、すぐに撮影待機動作に移るものとする。また、図６の処理において、ステップＳ６０７以降の処理を、図４に示したステップＳ４１１以降の処理に置換した構成とすることもできる。また、第１実施形態と同様に、クイックレビューの表示時間の延長中に、デジタルカメラ１００の姿勢が「表示面上向き姿勢」でなくなった場合に、撮影者によるクイックレビューの確認が済んだとみなしてクイックレビューを終了する構成としてもよい。
【００７４】
《デジタルカメラ１００の撮影時動作の第４実施形態》
第４実施形態では、クイックレビューを開始するか否かを、デジタルカメラ１００の姿勢が撮像時から変わったか否かによって判定する。図７は、デジタルカメラ１００の撮影時の第４実施形態に係る動作を示すフローチャートである。
【００７５】
ステップＳ７０１の撮影は、図３のフローチャートに示されるステップＳ３０５の撮影と同じであり、ここでは、ステップＳ７０１の撮影は、ステップＳ３０１〜Ｓ３０６の処理を含むものとする。これらの処理の詳細については既に詳細に説明済みであるので、ここでの説明を省略する。
【００７６】
次に、三脚モード設定手段１４６により、三脚使用の有無が判定される（ステップＳ７０２）。三脚使用有りの場合（Ｓ７０２で“ＹＥＳ”）、後述するステップＳ７０６の処理へ進み、三脚使用無しの場合（Ｓ７０２で“ＮＯ”）、姿勢検知手段１４４により、デジタルカメラ１００の姿勢情報が取得される（ステップＳ７０３）。
【００７７】
ステップＳ７０３の後、計時回路１３１によりステップＳ７０１の撮影の終了から一定時間が経過したかが判定される（ステップＳ７０４）。ステップＳ７０４で計時する一定時間は、例えば、デジタルカメラ１００にデフォルト設定されていてもよいし、撮影者により予め設定されていてもよい。一定時間が経過した場合（Ｓ７０４で“ＹＥＳ”）、処理はステップＳ７０９に進められ、ステップＳ７０９ではデジタルカメラ１００は撮影待機状態にて維持される。一定時間が経過していない場合（Ｓ７０４で“ＮＯ”）、デジタルカメラ１００の姿勢がステップＳ７０３で検知した姿勢から変化したか否かが判定される（ステップＳ７０５）。
【００７８】
ステップＳ７０５の判定は、ステップＳ７０３で姿勢検知手段１４４が検知した物理量に対してステップＳ７０５で姿勢検知手段１４４が検知する物理量に予め定められた一定値以上の変化が有るか否かにより行うことができる。デジタルカメラ１００の姿勢に変化がある場合（Ｓ７０５で“ＹＥＳ”）、クイックレビューが画像表示部１２４に表示される（ステップＳ７０６）。一方、デジタルカメラ１００の姿勢に変化がない場合（Ｓ７０５で“ＮＯ”）、処理はステップＳ７０３に戻される。
【００７９】
ステップＳ７０６の処理は、図３を参照して説明したステップＳ３０８の処理と同じであり、ステップＳ７０６によりクイックレビューが表示された際に、計時回路１３１により、予め設定されたクイックレビュー表示時間の計時が開始される。ステップＳ７０６以降の処理は、図４のステップＳ４０９以降の処理と同じであるので、ここでの詳細な説明を省略する。なお、ステップＳ７０４で一定時間が経過したと判定する前にシャッタスイッチＳＷ１の操作があった場合は、すぐに撮影待機動作に移るものとする。
【００８０】
このように第４実施形態によれば、デジタルカメラ１００の姿勢が撮影時から変化しなければ、クイックレビューを行わない。これにより、連続撮影を行いたい場合等に、余計なクイックレビューが行われることを防止されるので、撮影者は煩わしさを感じることなく連続した撮影を行うことができ、また、電池の無駄な消費を防ぐこともできる。第４実施形態では、撮影者がデジタルカメラ１００を正位置姿勢又は縦位置姿勢で使用していない撮影に対応することができる。
【００８１】
なお、第２実施形態と同様に、クイックレビューの表示時間の延長中に、デジタルカメラ１００の姿勢がステップＳ７０３で検知した姿勢と同じ姿勢に戻った場合に、撮影者によるクイックレビューの確認が済んだとみなしてクイックレビューを終了する構成としてもよい。
【００８２】
《第３実施形態及び第４実施形態におけるデジタルカメラ１００の本体の動作と画像表示部１２４の動作との関係の模式的図示》
図８は、図６及び図７に示したフローチャートに従うデジタルカメラ１００の本体の動作と画像表示部１２４の動作との関係を模式的に示す側面図である。通常撮影モード時、撮影者は光学ファインダ２１０を覗いて、構図を確認しながら撮影する。その際、画像表示部１２４には、クイックレビューは表示されない（図８（ａ））。その後、第３実施形態では、デジタルカメラ１００が表示面上向き姿勢と判定される姿勢になれば、画像表示部１２４にクイックレビューが表示される（図７（ｂ））。一方、第４実施形態では、撮影時のデジタルカメラ１００の姿勢に対して、クイックレビューのタイミングにおけるデジタルカメラ１００の姿勢に変化があると、画像表示部１２４にクイックレビューが表示される（図８（ｂ））。
【００８３】
第３実施形態及び第４実施形態によれば、撮影後に撮影者が光学ファインダ２１０から顔を離して、デジタルカメラ１００を傾けた時に、クイックレビューの表示が開始される。これにより、物体検知手段１４３を備えていないデジタルカメラであっても、十分にクイックレビューにより画像を確認することができる。
【００８４】
また、画像確認が不要な場合、姿勢検知手段１４４の検知結果に基づいてクイックレビューは表示されないので、電力消費を低減させ、撮影準備動作を短縮することができる。更に、クイックレビュー表示時間の延長も可能なので、撮影者は撮影毎に十分に撮影画像を確認することができる。
【００８５】
《その他の実施形態》
以上、本発明の好ましい実施形態について説明したが、本発明はこれら特定の実施形態に限られるものではなく、この発明の要旨を逸脱しない範囲の様々な形態も本発明に含まれる。また、上述した各実施形態は本発明の一実施形態を示すものにすぎず、各実施形態を適宜組み合わせることも可能である。例えば、システム制御回路１４０が行う制御は、１つのハードウェアが行ってもよいし、複数のハードウェアが処理を分担して行うようにしてもよい。
【００８６】
本発明は、以下の処理を実行することによっても実現される。即ち、上述した実施形態の機能を実現するソフトウェア（プログラム）をネットワーク又は各種記憶媒体を介して撮像装置に供給し、その撮像装置のコンピュータ（又はＣＰＵやＭＰＵ等）がプログラムコードを読み出して実行する処理である。この場合、そのプログラム及び該プログラムを記憶した記憶媒体は本発明を構成する。
【符号の説明】
【００８７】
１００    デジタルカメラ
１１６    撮像部
１２４    画像表示部
１４０    システム制御回路
１４５    クイックレビュー制御部
１４４    姿勢検知手段
１５２    撮影動作指示手段
２１０    ファインダ
【図１】
2012019321.tif 000003
【図２】
2012019321.tif 000004
【図３】
2012019321.tif 000005
【図４】
2012019321.tif 000006
【図５】
2012019321.tif 000007
【図６】
2012019321.tif 000008
【図７】
2012019321.tif 000009
【図８】
2012019321.tif 000010